(57)【要約】【課題】グラビアロールの脱着を容易とし、また、それと併行して溶剤パンやドクタブレードの位置を変更してリバース駆動に切替える作業も簡素化する。【解決手段】連続して送られるベルトの表面に対し、グラビアロールの回転によって溶剤パンに入っているフィルム溶剤を連続して付着させるフィルム成形装置であって、溶剤パン２０が設置されているベースプレート１０に対し、グラビアロール２４の両端の軸部２４ａが回転可能で、かつ脱着可能に支持されている。このグラビアロールの軸部２４ａに所定の回転伝達手段（マグネットカップリング２６，４６）を通じてモータ３６の回転力が伝達されるように構成されている。この回転伝達手段は、その構成部品を脱着することなくグラビアロール２４をベースプレート１０側から脱着できるように設定されている。【選択図】図１
2014076430.tif 000002
【特許請求の範囲】
【請求項１】
連続して送られるベルトの表面に対し、グラビアロールの回転によって溶剤パンに入っているフィルム溶剤を連続して付着させるフィルム成形装置であって、
溶剤パンが設置されているベースプレートに対し、グラビアロールの両端の軸部が回転可能で、かつ脱着可能に支持され、このグラビアロールの軸部に、所定の回転伝達手段を通じてモータの回転力が伝達されるように構成され、この回転伝達手段は、その構成部品を脱着することなくグラビアロールをベースプレート側から脱着できるように設定されているフィルム成形装置。
【発明の詳細な説明】
【技術分野】
【０００１】
本発明は、主としてフィルムコンデンサに使用されるフィルムの成形装置に関する。
【背景技術】
【０００２】
この種のフィルム成形装置には、連続して送られるベルト（ＳＡＳベルト）の表面に対し、溶剤パンに入っているフィルム溶剤をグラビアロールの回転によって付着させる形式のものがある。グラビアロールは、その表面に各種パターンの凹凸が加工されているとともに、外周の一部がＳＡＳベルトに接触している。このグラビアロールが溶剤パン内のフィルム溶剤に浸された状態で回転することで、グラビアロールの表面に付いたフィルム溶剤をＳＡＳベルトに付着させる。このとき、グラビアロールの表面に付いた余分なフィルム溶剤は、ドクタブレードによって掻き落とされ、凹部に溜まることで計量されたフィルム溶剤のみがＳＡＳベルトに付着してフィルムが成形される。
なお、グラビアロールの表面に加工されている凹凸にパターン形状は、フィルム溶剤を塗布する相手部材（ＳＡＳベルト）の材質等によって選定され、メッシュはフィルム溶剤の粘度や求めるフィルムの厚みによって決定される。
この種のフィルム成形装置の一般的な技術は、特許文献１に開示されている。
【先行技術文献】
【特許文献】
【０００３】
【特許文献１】特開２０１１−２５５６１１号公報
【発明の概要】
【発明が解決しようとする課題】
【０００４】
グラビアロールは、モータからプーリーや駆動ベルトを通じて回転駆動を受けるようになっている。このため、グラビアロールを脱着するには駆動ベルトを外したり再度取付けたりする手間を要し、グラビアロールの表面に加工されている凹凸パターン等を選択する目的で、該グラビアロールを交換する場合にはその作業が煩雑となる。
【０００５】
本発明は、このような課題を解決しようとするもので、その目的は、グラビアロールの脱着を容易とし、また、それと併行して溶剤パンやドクタブレードの位置を変更してリバース駆動に切替える作業も簡素化することである。
【課題を解決するための手段】
【０００６】
本発明は、上記の目的を達成するためのもので、以下のように構成されている。
連続して送られるベルトの表面に対し、グラビアロールの回転によって溶剤パンに入っているフィルム溶剤を連続して付着させるフィルム成形装置であって、溶剤パンが設置されているベースプレートに対し、グラビアロールの両端の軸部が回転可能で、かつ脱着可能に支持されている。このグラビアロールの軸部に、所定の回転伝達手段を通じてモータの回転力が伝達されるように構成されている。この回転伝達手段は、その構成部品を脱着することなくグラビアロールをベースプレート側から脱着できるように設定されている。
【発明の効果】
【０００７】
本発明は、本発明は、グラビアロールにモータの回転力を伝達する回転伝達手段が、その構成部品を脱着することなくグラビアロールをベースプレート側から脱着できるので、このグラビアロールの脱着に際して工具を使用したボルト等の脱着や駆動ベルトの脱着といった手間が不要となり、作業が簡単となる。この結果、グラビアロールをその表面に加工されている凹凸パターン等の選択を目的として交換する場合の作業が容易となり、また、グラビアロールの脱着に併せて溶剤パンやドクタブレードの位置を変更してリバース駆動に切替える場合にも便利である。
【図面の簡単な説明】
【０００８】
【図１】フィルム成形装置のグラビア塗工部を表した斜視図。
【図２】フィルム成形装置のグラビア塗工部を別の方向から見た斜視図。
【図３】フィルム成形装置のグラビア塗工部を表した縦断面図。
【図４】グラビア塗工部のリバース駆動状態を表した断面図。
【発明を実施するための形態】
【０００９】
以下、本発明を実施するための形態を、図面を用いて説明する。
連続して送られるベルトの表面にフィルム溶剤を付着させるためのグラビア塗工部は、ベースプレート１０の上面側においてそれぞれ設置されている溶剤パン２０、この溶剤パン２０の内部で回転するグラビアロール２４、このグラビアロール２４の上部に位置するバックアップロール２８、グラビアロール２４の表面に接触するドクタブレード３０をそれぞれ備えている。一方、ベースプレート１０の下面側には、このベースプレート１０の昇降駆動源として用いたエアシリンダ１６、グラビアロール２４の回転駆動源として用いたモータ３６が設けられている。
【００１０】
ベースプレート１０は水平に設置され、その上面の両サイドには軸受けブラケット１２がそれぞれ固定されている。また、ベースプレート１０において、図１の背面側にはモータブラケット１４が固定されている。エアシリンダ１６は二機でセットになっており、個々のプランジャ１６ａの作動によってベースプレート１０が水平を保ったまま、フィルム成形装置のフレーム（図示省略）に対して昇降する。
溶剤パン２０は、ベースプレート１０の上面における両軸受けブラケット１２の間のスペースに設置されている。この溶剤パン２０の内部には、フィルムの成形材であるフィルム溶剤２２が入っている（図３、図４）。このフィルム溶剤２２は、溶剤タンク（図示省略）からの供給および溶剤タンクへの回収を繰り返すことで、常に循環させることが好ましい。
【００１１】
グラビアロール２４は、その両端部の軸部２４ａに取付けられている個々の軸受け２４ｂがベースプレート１０の両軸受けブラケット１２に対し、上方からはめ込まれて支持されている。つまり、グラビアロール２４は、両軸受けブラケット１２に対して軸線回りに回転可能で、かつ脱着可能に支持されている。この支持状態でのグラビアロール２４は、溶剤パン２０の中に位置しており、その外周の一部がフィルム溶剤２２に浸されている（図３、図４）。
【００１２】
グラビアロール２４の表面には、微細な凹凸（図示省略）が加工されている。そのため、グラビアロール２４が回転すると、その表面の凹凸にフィルム溶剤２２が付着し、後述するようにグラビアロール２４の外周に接触して移動する金属製のベルト５０（図３、図４）にフィルム溶剤２２を塗布することができる。なお、ベルト５０には、例えば、ＨＴ１７７０からなるＳＵＳベルトが使用されている。このＳＵＳベルトは、その表面から後述のようにフィルムが剥ぎ取られるときに傷や汚れが生じ難く、フィルムとの間に静電気が生じ難いという性質を有する。
既に説明したように、グラビアロール２４の凹凸には各種のパターンやメッシュのサイズがあり、パターンはベルト５０の材質等によって選定され、メッシュはフィルム溶剤２２の粘度や成形されるフィルムの厚みなどによって決定される。
【００１３】
グラビアロール２４における両軸部２４ａの一方には、マグネットカップリング２６が設けられている。このマグネットカップリング２６は、後述する中間軸４０のマグネットカップリング４６に対して非接触であっても、該中間軸４０からの回転を受けることが可能である。
バックアップロール２８は、その軸線がグラビアロール２４の軸線と平行な状態で配置され、両端の軸部がフィルム成形装置のフレーム側に回転自在に支持されている。このバックアップロール２８とグラビアロール２４との間を、ベルト５０が移動するようになっている（図３、図４）。
【００１４】
ドクタブレード３０は、前述のようにグラビアロール２４の表面に接触している。このドクタブレード３０のリテーナ部３２は、グラビアロール２４あるいはバックアップロール２８の軸線と平行に配置された支持ロッド３４に結合されている。この支持ロッド３４の両端部は、両軸受けブラケット１２に設けられた個々の嵌合部１２ａに対し、上方からはめ込むことで支持されている。したがって、ドクタブレード３０は支持ロッド３４と共に両軸受けブラケット１２に対して脱着することができる。
【００１５】
両軸受けブラケット１２には、グラビアロール２４を境とした反対側においても嵌合部１２ｂがそれぞれ設けられている。つまり、これらの嵌合部１２ｂにドクタブレード３０の支持ロッド３４を支持することで、後述のようにドクタブレード３０の位置および向きを変更することができる。
【００１６】
グラビアロール２４の表面に接触しているドクタブレード３０は、このグラビアロール２４の回転に伴って表面の凹凸に付いたフィルム溶剤２２のうち、凸部のフィルム溶剤を掻き落とす。その結果、凹部に溜まって正確に計量されたフィルム溶剤のみがベルト５０に塗布されることになる。
ドクタブレード３０においては、そのリテーナ部３２にウエイト等（図示省略）によって荷重をかけることで、グラビアロール２４の表面に対する押付け圧力を調整することができる。これにより、グラビアロール２４の表面から掻き落とされるフィルム溶剤の量が調整され、成形フィルムの肉厚を調整することができる。
【００１７】
モータ３６は、ベースプレート１０のモータブラケット１４に組付けられているとともに、その駆動軸に固定されたプーリー３８を備えている（図２）。また、モータブラケット１４には、中間軸４０が回転可能に支持されている。この中間軸４０は、その一端部に固定されたプーリー４２と、他端部に設けられたマグネットカップリング４６とを備えている。
モータ３６のプーリー３８と中間軸４０のプーリー４２との間には駆動ベルト４４が掛けられており（図２、モータ３６の駆動力が中間軸４０に伝達される。中間軸４０の回転は、そのマグネットカップリング４６およびグラビアロール２４のマグネットカップリング２６を通じて該グラビアロール２４に伝達される。つまり、マグネットカップリング２６，４６は、本発明における「回転伝達手段」の一例である。
【００１８】
つづいて、グラビア塗工について説明する。
前述のようにモータ３６の駆動力は中間軸４０に伝達され、マグネットカップリング２６，４６を通じてグラビアロール２４が回転する。グラビアロール２４が図３の矢印方向へ連続して回転することにより、その表面の凹凸に溶剤パン２０内のフィルム溶剤２２が付着し、かつ前述のようにドクタブレード３０によって凸部のフィルム溶剤が掻き落とされた後の計量されたフィルム溶剤のみがベルト５０に塗布される。
ベルト５０は、グラビアロール２４とバックアップロール２８との間を通って図３の矢印方向へ連続して移動している。したがって、ベルト５０に塗布されたフィルム溶剤２２は、搬送途中にヒーターなどで乾燥した後にベルト５０から剥ぎ取られて順次巻き取られてフィルムの成形が完了する。
【００１９】
既に述べたように、グラビアロール２４の表面に加工されている凹凸には各種のパターンやメッシュのサイズがあり、ベルト５０の材質等や成形されるフィルムの厚み等によってグラビアロール２４を交換する必要がある。そこで、グラビアロール２４を軸受けブラケット１２から取外す手順について説明する。
まず、ベースプレート１０をエアシリンダ１６の作動によって下降させ、グラビアロール２４をバックアップロール２８およびベルト５０から離れた位置に移動させ、グラビアロール２４を持ち上げる。このグラビアロール２４は、前述のように両軸受けブラケット１２に対して脱着可能に支持されているとともに、モータ３６の駆動力がマグネットカップリング２６，４６を通じて伝達されることから、ベースプレート１０側から容易に取外すことができる。
【００２０】
また、グラビア塗工においては、図４で示すようにベルト５０の移動方向は変えることなく、グラビアロール２４を逆回転させるリバース駆動がある。この場合、グラビアロール２４の回転方向に合わせてドクタブレード３０の配置および向きを図４のように変更するとともに、溶剤パン２０の向きも反転させるのが好ましい。
このリバース駆動に切替える場合でも、前述の手順によってグラビアロール２４をベースプレート１０側から取外す。これにより、ドクタブレード３０における支持ロッド３４の両端部を軸受けブラケット１２の嵌合部１２ａから外して他方の嵌合部１２ｂにはめ変える作業、あるいは溶剤パン２０の向きを反転させる作業が容易となる。
【００２１】
以上は本発明を実施するための最良の形態を図面に関連して説明したが、この実施の形態は本発明の趣旨から逸脱しない範囲で容易に変更または変形できるものである。
例えば、グラビアロール２４の軸部２４ａと中間軸４０とに設けられている「回転伝達手段」は、図示のマグネットカップリング２６，４６に限定されない。つまり、グラビアロール２４の脱着に際して工具類を用いてボルト等の脱着を必要としない「回転伝達手段」であれば、ねじ歯車などの噛合いギヤ対に代えることも可能である。
【符号の説明】
【００２２】
１０   ベースプレート
２０   溶剤パン
２２   フィルム溶剤
２４   グラビアロール
２４ａ 軸部
２６，４６    マグネットカップリング（回転伝達手段）
３６   モータ
５０   金属製のベルト
【図１】
2014076430.tif 000003
【図２】
2014076430.tif 000004
【図３】
2014076430.tif 000005
【図４】
2014076430.tif 000006